(57)【特許請求の範囲】
【請求項１】
画像が形成された記録媒体を載置する載置面を有する載置台ガラスと、
画像を読み取るための複数の読取素子を主走査方向に沿って直線状に配設してなる密着型イメージセンサと、
前記載置台ガラスを挟んで前記記録媒体が載置される側とは反対側において、前記載置台ガラスと対向するように前記密着型イメージセンサを支持するセンサ支持部材と、
前記センサ支持部材を、前記載置面と平行であるとともに前記主走査方向と交差するように設定された副走査方向に移動させる支持部材移動手段と、
を備えた画像読取装置であって、
前記センサ支持部材は、
前記副走査方向に沿って移動可能にされた副走査方向移動部材の前記副走査方向への移動に伴う当該副走査方向移動部材と前記密着型イメージセンサとの位置関係の変化に従って、前記載置台ガラスと前記密着型イメージセンサとの間の距離が変化するように構成された距離調節手段を備え、
当該画像読取装置は、
前記副走査方向に沿った前記副走査方向移動部材の移動経路上に配置され、予め設定された移動阻止位置まで前記センサ支持部材が移動すると前記副走査方向移動部材と当接し、前記センサ支持部材が前記移動阻止位置を越えて移動すると、前記副走査方向移動部材の移動を阻止することによって、前記センサ支持部材の移動量に応じて、前記副走査方向移動部材の前記密着型イメージセンサに対する相対的な位置を変化させる副走査方向移動阻止部材を備える、
ことを特徴とする画像読取装置。
【請求項２】
前記副走査方向移動部材は、
前記載置台ガラスの載置面に対して垂直方向に移動可能に、前記載置台ガラスと前記密着型イメージセンサとの間に配置されて、前記載置台ガラスと対向する面である移動部材対向面には凹凸が形成され、
前記距離調節手段は、
前記密着型イメージセンサが前記載置台ガラスに近付く方向であるセンサ接近方向に向かって前記密着型イメージセンサを付勢する付勢部材と、
前記載置台ガラスと前記副走査方向移動部材との間に配置され、前記移動部材対向面に対向する面には、前記移動部材対向面と嵌め合うことが可能な凹凸が形成され、前記副走査方向移動部材と当接する当接部材と、
から構成される、
ことを特徴とする請求項１に記載の画像読取装置。
【請求項３】
前記距離調節手段は、
前記密着型イメージセンサの焦点中心位置が、前記載置台ガラスの前記載置面上と一致するように、前記載置台ガラスと前記密着型イメージセンサとの間の距離を設定することが可能に構成されている、
ことを特徴とする請求項１または請求項２に記載の画像読取装置。
【請求項４】
前記載置台ガラスの前記載置面においては、画像を読み取るために前記記録媒体を載置する載置領域が設定されており、
前記密着型イメージセンサが前記副走査方向に沿って移動する移動経路上において、前記密着型イメージセンサが前記載置領域と対向する範囲を読取移動範囲、前記密着型イメージセンサが前記載置領域と非対向となる範囲を非読取移動範囲とし、
前記読取移動範囲の副走査方向両端側に位置する前記２箇所の非読取移動範囲内における前記移動経路上のそれぞれに、前記副走査方向移動阻止部材が１つずつ設置され、
当該画像読取装置が画像の読み取りを行っていない状態において前記密着型イメージセンサが待機するために予め設定されている位置をセンサ待機位置とし、
前記距離調節手段は、
前記２つの副走査方向移動阻止部材のうち、前記センサ待機位置までの距離が近い副走査方向移動阻止部材に前記副走査方向移動部材が当接すると、前記密着型イメージセンサの焦点中心位置が、前記載置台ガラスの前記載置面上と一致するように構成されている、
ことを特徴とする請求項１〜請求項３の何れかに記載の画像読取装置。
【請求項５】
前記載置台ガラスと前記密着型イメージセンサとの間の距離を変化させるための距離変化指令が入力される距離変化指令入力手段と、
前記距離変化指令入力手段に前記距離変化指令が入力されると、前記支持部材移動手段に、前記副走査方向移動部材を前記副走査方向移動阻止部材に当接させることにより前記副走査方向移動部材の前記密着型イメージセンサに対する相対的な位置を変化させるために予め設定された位置まで前記センサ支持部材を移動させる移動制御手段と、
を備えることを特徴とする請求項１〜請求項４の何れかに記載の画像読取装置。
【発明の詳細な説明】
【技術分野】
【０００１】
本発明は、密着型イメージセンサを用いて、画像を読み取る画像読取装置に関する。
【背景技術】
【０００２】
従来より、ファクリミリやコピー機等に搭載される画像読取装置として、密着型イメージセンサ（ＣＩＳ：Contact Image Sensor）を用いたものが知られている。
このＣＩＳは、ＣＣＤ（Charge Coupled Devices）方式のイメージセンサよりも大幅な小型・軽量化が可能であるという利点を有するが、その反面、ＣＣＤ方式のイメージセンサと比較して焦点深度が極めて浅く、画像を鮮明に読み取ることができる範囲が狭いという欠点を有する。例えば原稿台ガラス上面にＣＩＳの焦点が位置するようにすると、原稿台ガラス面に載せられた原稿について、原稿台ガラス面から少し浮いた部分に印刷された画像はピントのボケた状態で読み取られる。このため、工場出荷時において、原稿台ガラス上面にＣＩＳの焦点が位置するように調整されていると、シワのない原稿については原稿全体にわたって鮮明な読み取りができるが、本を見開きの状態で読み取ったり、シワのある原稿を読み取ったりする場合には、原稿台ガラス面から浮いた部分で読み取られた画像は不鮮明になってしまうことがあった。
【０００３】
また上述のように焦点深度が極めて浅いために、原稿台ガラスとＣＩＳとの間の距離を画一的に設定して画像読取装置を量産すると、ＣＩＳやその他の部品の寸法等のばらつきのために、ＣＩＳの焦点が原稿台ガラス上面に位置していない画像読取装置が製造されてしまう虞がある。
【０００４】
このため、ＣＩＳを用いた画像読取装置を製造する工場では、製造される画像読取装置１つ１つについて個別に、原稿台ガラス上面にＣＩＳの焦点が位置するように、厚みの異なるスペーサや高さ調整ねじなどを用いて、原稿台ガラスとＣＩＳとの間の距離（以降、ガラス・ＣＩＳ間距離と称す）を調整している（例えば、特許文献１参照。）。つまり、スペーサや高さ調整ねじなどを用いたガラス・ＣＩＳ間距離の調整は手作業により行われている。
【特許文献１】特開２００５−１６７８１７号公報（第５−８頁、第４−５図）
【発明の開示】
【発明が解決しようとする課題】
【０００５】
しかしながら、工場出荷時において、一度組み上げた画像読取装置についてガラス・ＣＩＳ間距離を再度調整する必要が生じた場合には、画像読取装置の内部に取り付けられているスペーサや高さ調整ねじを手作業で取り扱うことができるように、画像読取装置を分解しなくてはならないという問題があった。
【０００６】
また、上述のようにガラス・ＣＩＳ間距離を調整するには画像読取装置を分解しなくてはならないため、装置利用者は、画像読取装置を購入した後には、ガラス・ＣＩＳ間距離を調整することができなかった。
【０００７】
本発明は、こうした問題に鑑みなされたものであり、画像読取装置を分解することなく、原稿台ガラスと密着型イメージセンサとの間の距離を調整できる技術を提供することを目的とする。
【課題を解決するための手段】
【０００８】
上記目的を達成するためになされた請求項１に記載の発明は、画像が形成された記録媒体を載置する載置面を有する載置台ガラスと、画像を読み取るための複数の読取素子を主走査方向に沿って直線状に配設してなる密着型イメージセンサと、載置台ガラスを挟んで記録媒体が載置される側とは反対側において、載置台ガラスと対向するように密着型イメージセンサを支持するセンサ支持部材と、センサ支持部材を、載置面と平行であるとともに主走査方向と交差するように設定された副走査方向に移動させる支持部材移動手段と、を備えた画像読取装置であって、センサ支持部材は、副走査方向に沿って移動可能にされた副走査方向移動部材の副走査方向への移動に伴う当該副走査方向移動部材と密着型イメージセンサとの位置関係の変化に従って、載置台ガラスと密着型イメージセンサとの間の距離が変化するように構成された距離調節手段を備え、当該画像読取装置は、副走査方向に沿った副走査方向移動部材の移動経路上に配置され、予め設定された移動阻止位置までセンサ支持部材が移動すると副走査方向移動部材と当接し、センサ支持部材が移動阻止位置を越えて移動すると、副走査方向移動部材の移動を阻止することによって、センサ支持部材の移動量に応じて、副走査方向移動部材の密着型イメージセンサに対する相対的な位置を変化させる副走査方向移動阻止部材を備えることを特徴とする。
【０００９】
このように構成された画像読取装置では、支持部材移動手段がセンサ支持部材を副走査方向に移動させることによって、載置台ガラスに載置された記録媒体に形成された画像を密着型イメージセンサに読み取らせる。
【００１０】
また支持部材移動手段がセンサ支持部材を移動阻止位置まで移動させると、副走査方向移動部材は副走査方向移動阻止部材に当接し、更に移動阻止位置を越えてセンサ支持部材を移動させると、センサ支持部材の移動量に応じて、副走査方向移動部材の密着型イメージセンサに対する相対的な位置が変化する。そして、この位置変化によって、距離調節手段は、載置台ガラスと密着型イメージセンサとの間の距離（以降、ガラス・ＣＩＳ間距離とも称す）を変化させる。つまり、センサ支持部材を移動阻止位置を越えて移動させることによって、密着型イメージセンサの焦点中心位置を調整することができる。尚、焦点中心位置とは、密着型イメージセンサの焦点が合っている位置を意味する。
【００１１】
即ち、密着型イメージセンサの焦点中心位置調整のために移動阻止位置を越えてセンサ支持部材を移動させる移動量を予め設定しておけば、支持部材移動手段を用いてセンサ支持部材をこの移動量分移動させればよい。つまり、ガラス・ＣＩＳ間距離を調整するために手作業を行う必要がないため、画像読取装置を分解することなく、原稿台ガラスと密着型イメージセンサとの間の距離を調整できる。
【００１２】
また請求項１に記載の画像読取装置において、具体的には請求項２に記載のように、副走査方向移動部材は、載置台ガラスの載置面に対して垂直方向に移動可能に、載置台ガラスと密着型イメージセンサとの間に配置されて、載置台ガラスと対向する面である移動部材対向面には凹凸が形成され、距離調節手段は、密着型イメージセンサが載置台ガラスに近付く方向であるセンサ接近方向に向かって密着型イメージセンサを付勢する付勢部材と、載置台ガラスと副走査方向移動部材との間に配置され、移動部材対向面に対向する面には、移動部材対向面と嵌め合うことが可能な凹凸が形成され、副走査方向移動部材と当接する当接部材とから構成されるようにするとよい。
【００１３】
このように構成された画像読取装置では、付勢部材がセンサ接近方向に向かって密着型イメージセンサを付勢するため、密着型イメージセンサは副走査方向移動部材をセンサ接近方向に向かって押圧し、更に副走査方向移動部材は当接部材をセンサ接近方向に向かって押圧する。
【００１４】
そして、移動部材対向面には凹凸が形成され、当接部材の移動部材対向面に対向する面（以降、当接部材対向面とも称す）にも、移動部材対向面と嵌め合うことが可能な凹凸が形成されている。このため、移動部材対向面と当接部材対向面とが嵌め合い状態（以降、嵌合状態と称す）である時にガラス・ＣＩＳ間距離が最も短くなる。一方、移動部材対向面と当接部材対向面との嵌め合いが解除されて移動部材対向面の凸部と当接部材対向面の凸部とが当接した状態（以降、凸部当接状態と称す）である時にガラス・ＣＩＳ間距離が最も長くなる。
【００１５】
即ち、副走査方向移動部材の副走査方向への移動に伴う移動部材対向面と当接部材対向面との位置関係の変化に従って、嵌合状態と凸部当接状態との間で状態を変化させることによって、載置台ガラスと密着型イメージセンサとの間の距離を変化させることができる。
【００１６】
ところで、画像読取装置によって画像を読み取らせる記録媒体としては、一般に、シワのない用紙を利用することが多い。従って、用紙を載置台ガラスの載置面に載せると、載置台ガラスの載置面と、用紙の画像が印刷されている面とは、ほぼ密着する。即ち、密着型イメージセンサの焦点中心位置を載置台ガラスの載置面上に一致させると、シワのない用紙に印刷された画像を原稿全体にわたって鮮明に読み込むことができる。
【００１７】
そこで、請求項１または請求項２に記載の画像読取装置において、請求項３に記載のように、距離調節手段は、密着型イメージセンサの焦点中心位置が、載置台ガラスの載置面上と一致するように、載置台ガラスと密着型イメージセンサとの間の距離を設定することが可能に構成されているようにするとよい。
【００１８】
このように構成された画像読取装置によれば、密着型イメージセンサの焦点中心位置が、載置台ガラスの載置面上と一致するように、載置台ガラスと密着型イメージセンサとの間の距離を調整することによって、読み取り頻度の多い、シワのない用紙に印刷された画像を鮮明に読み込むことができる。
【００１９】
ところで、画像読取装置の落下や衝撃などの影響で、副走査方向移動部材の密着型イメージセンサに対する相対的な位置が変化してしまい、ガラス・ＣＩＳ間距離はずれる可能性がある。このため、画像の読み取りを行う毎に、或いは画像読取装置の電源オン時、或いは予め設定された所定設定時間毎に、ガラス・ＣＩＳ間距離を予め設定された初期状態に設定するようにするとよい。尚、上述のように、一般に、シワのない用紙に印刷された画像を読み取ることが多い。従って、ガラス・ＣＩＳ間距離の初期状態としては、密着型イメージセンサの焦点中心位置が、載置台ガラスの載置面上と一致するガラス・ＣＩＳ間距離とするとよい。
【００２０】
また、密着型イメージセンサを副走査方向に移動させるタイプの画像読取装置では、当該画像読取装置が画像の読み取りを行っていない状態において密着型イメージセンサが待機するための待機位置が設定されている。
【００２１】
そこで、請求項１〜請求項３の何れかに記載の画像読取装置において、請求項４に記載のように、載置台ガラスの載置面においては、画像を読み取るために記録媒体を載置する載置領域が設定されており、密着型イメージセンサが副走査方向に沿って移動する移動経路上において、密着型イメージセンサが載置領域と対向する範囲を読取移動範囲、密着型イメージセンサが載置領域と非対向となる範囲を非読取移動範囲とし、読取移動範囲の副走査方向両端側に位置する２箇所の非読取移動範囲内における移動経路上のそれぞれに、副走査方向移動阻止部材が１つずつ設置され、当該画像読取装置が画像の読み取りを行っていない状態において密着型イメージセンサが待機するために予め設定されている位置をセンサ待機位置とし、距離調節手段は、２つの副走査方向移動阻止部材のうち、センサ待機位置までの距離が近い副走査方向移動阻止部材に副走査方向移動部材が当接すると、密着型イメージセンサの焦点中心位置が、載置台ガラスの載置面上と一致するように構成されているようにするとよい。
【００２２】
即ち、上記２つの副走査方向移動阻止部材のうち、センサ待機位置までの距離が近い副走査方向移動阻止部材のほうが、センサ待機位置から当該副走査方向移動阻止部材までセンサ支持部材（密着型イメージセンサ）が移動するのに要する時間が短い。つまり、密着型イメージセンサの焦点中心位置が、載置台ガラスの載置面上と一致するガラス・ＣＩＳ間距離をガラス・ＣＩＳ間距離の初期状態とした場合に、ガラス・ＣＩＳ間距離を初期状態するために要する時間を抑制できる。
【００２３】
また請求項１〜請求項４の何れかに記載の画像読取装置において、請求項５に記載のように、載置台ガラスと密着型イメージセンサとの間の距離を変化させるための距離変化指令が入力される距離変化指令入力手段と、距離変化指令入力手段に距離変化指令が入力されると、支持部材移動手段に、副走査方向移動部材を副走査方向移動阻止部材に当接させることにより副走査方向移動部材の密着型イメージセンサに対する相対的な位置を変化させるために予め設定された位置までセンサ支持部材を移動させる移動制御手段とを備えるようにするとよい。
【００２４】
このように構成された画像読取装置では、距離変化指令入力手段を介して距離変化指令が入力されると、副走査方向移動部材の密着型イメージセンサに対する相対的な位置を変化させるために予め設定された位置までセンサ支持部材が移動する。
【００２５】
このため、装置利用者が距離変化指令入力手段を介して指示することにより、自動的にガラス・ＣＩＳ間距離を調整することができる。
例えば、本を見開きの状態で読み取ったり、シワのある原稿を読み取ったりする場合には、読み取りを開始する前に、装置利用者が距離変化指令入力手段を介して指示することにより、密着型イメージセンサの焦点中心位置を、載置台ガラスの載置面上と一致する位置から、載置台ガラスの載置面より少し上になる位置になるようにガラス・ＣＩＳ間距離を調整して、原稿台ガラス面から浮いた部分があってもピントがボケないようにするという使用方法が可能になる。
【発明を実施するための最良の形態】
【００２６】
以下に本発明の実施形態を図面とともに説明する。
図１はスキャナ装置１の外観を示す斜視図、図２はスキャナ装置１の内部構成を示す斜視図である。
【００２７】
図１に示すようにスキャナ装置１はフラットベッド型のものである。そしてスキャナ装置１は、上面が開口した箱形状で、内部にスキャナ装置１の構成要素を収納する筐体２と、筐体２の上面開口部の中央に配置されて、原稿が載置される矩形状のプラテンガラス４と、筐体２の上面開口部の周縁部に配置されて、プラテンガラス４を支持する上面カバー３とを備える。
【００２８】
また図２に示すように、筐体２内には、光電変換素子からなる複数個の読取素子が主走査方向（プラテンガラス４の短手方向。図１参照）に沿って直線状に配列されて、プラテンガラス４上に載置されている原稿に印刷された画像を読み取る密着型イメージセンサ１２（図３参照。以降、ＣＩＳと称す）を備えた密着型イメージセンサ・ユニット（以降、ＣＩＳユニットと称す）１０と、ＣＩＳユニット１０を副走査方向（プラテンガラス４の長手方向。図１参照）に沿って移動可能に案内するガイド軸５と、副走査方向に沿って架け渡されて、ステッピングモータ５２(図８参照。図２では不図示)からギヤ機構(不図示)を介して伝達された駆動力によって循環移動する無端ベルト６が収納されている。
【００２９】
尚、ＣＩＳユニット１０は、無端ベルト６の循環移動に伴って移動するように無端ベルト６に固定されている。このためＣＩＳユニット１０は、無端ベルト６の循環移動に連動して、ガイド軸５に案内されながら副走査方向に沿って往復移動する。
【００３０】
また、ＣＩＳユニット１０の主走査方向両端部のそれぞれには、プラテンガラス４の下面（つまり、原稿が載置される面（以降、上面と称す）とは反対側の面）に接するローラ２３（図３参照）を回転可能に支持するとともに、プラテンガラス４とＣＩＳ１２との間の距離（以降、ガラス・ＣＩＳ間距離と称す）を調節するＣＩＳローラホルダ２０が取り付けられている。
【００３１】
図３は、ＣＩＳローラホルダ２０の動作を説明するためのＣＩＳユニット１０及びＣＩＳローラホルダ２０の側断面図であり、図３（ａ）はガラス・ＣＩＳ間距離が遠い場合、図３（ｂ）はガラス・ＣＩＳ間距離が近い場合を示す。
【００３２】
また、図４はＣＩＳローラホルダ２０の動作を説明するためのＣＩＳローラホルダ２０の外観斜視図、図５はＣＩＳローラホルダ２０の内部構造を示す斜視図であり、図４（ａ），図５（ａ）はガラス・ＣＩＳ間距離が近い場合、図４（ｂ），図５（ｂ）はガラス・ＣＩＳ間距離が遠い場合を示す。
【００３３】
また図６は、ＣＩＳホルダ２１（後述）及びスペーサ２２（後述）の側面図である。
図３（ａ），（ｂ）に示すように、ＣＩＳユニット１０は、ＣＩＳ１２と、ＣＩＳ１２を搭載するキャリッジ１１と、一端がＣＩＳ１２に固定されるとともに他端がキャリッジ１１に固定され、ＣＩＳ１２がプラテンガラス４に近付く方向（以降、センサ接近方向と称す）に向かってＣＩＳ１２を付勢する弾性体１３（例えば、コイル状ばね）とから構成される。
【００３４】
またＣＩＳローラホルダ２０は、図３（ａ），（ｂ）及び図４（ａ），（ｂ）に示すように、ローラ２３と、長方形状に成型された薄板状のスペーサ２２と、ローラ２３を回転可能に支持するとともに、プラテンガラス４の上面に対して垂直方向（以降、ガラス垂直方向と称す）に移動可能に且つ副走査方向に移動可能にスペーサ２２を保持して、ＣＩＳユニット１０の主走査方向両端部に固定されるＣＩＳホルダ２１とから構成される。
【００３５】
尚、スペーサ２２には、図５（ａ），（ｂ）に示すように、スペーサ２２の長手方向に沿った長穴状のスペーサ貫通孔２２ａが形成されている。また、プラテンガラス４と対向する面（以降、スペーサ上面と称す）には、曲線状で波形の凹凸が形成される（図６参照）。
【００３６】
またＣＩＳホルダ２１は、下向きに開口したコ字状の断面を有するホルダ本体部３１を有する。そして、ホルダ本体部３１の上面壁３１ａの内面側には、上面壁３１ａに対して垂直方向に突出して、スペーサ貫通孔２２ａが挿通されるピン状突起３２が設けられている。更に上面壁３１ａの内面（以降、上面壁内面と称す）上には、スペーサ上面に形成された凹凸に嵌め合うことが可能な曲線状で波形の凹凸が形成される（図６参照）。またホルダ本体部３１の側面壁３１ｂ，３１ｃには、スペーサ２２が挿通されるホルダ貫通孔３３が形成される。
【００３７】
このため、スペーサ貫通孔２２ａにピン状突起３２を挿通するとともに、ホルダ貫通孔３３にスペーサ２２を挿通した状態でスペーサ２２をホルダ本体部３１内に収納することによって、ＣＩＳホルダ２１は、上面壁３１ａに対して垂直方向に移動可能に且つスペーサ２２の長手方向に移動可能にスペーサ２２を保持することができる。
【００３８】
そして、ＣＩＳホルダ２１をＣＩＳユニット１０に取り付けると、スペーサ２２は、ホルダ本体部３１の上面壁３１ａとＣＩＳ１２との間に配置されることとなる。即ち、スペーサ２２にはＣＩＳ１２を介して弾性体１３の付勢力が加えられ、これにより、スペーサ２２は上面壁３１ａをセンサ接近方向に向かって押圧する。
【００３９】
このため、スペーサ２２の長手方向への移動に伴い、上面壁内面とスペーサ上面とが嵌め合い状態（以降、嵌合状態と称す）になった時には、図３（ｂ）に示すように、ガラス・ＣＩＳ間距離が最も短くなる。一方、上面壁内面とスペーサ上面との嵌め合いが解除されて上面壁内面の凸部とスペーサ上面の凸部とが当接した状態（以降、凸部当接状態と称す）になった時には、図３（ａ）に示すように、ガラス・ＣＩＳ間距離が最も長くなる。
【００４０】
尚、凸部当接状態において、ＣＩＳ１２の焦点中心位置がプラテンガラス４の上面と一致するガラス・ＣＩＳ間距離となるように、従来技術（厚みの異なるスペーサや高さ調整ねじ）を用いて調整されている。
【００４１】
図７は、リブ７の配置と、ＣＩＳユニット１０の待機位置を説明するスキャナ装置１の概略平面図である。
図７に示すように、主走査方向に沿って延設されたリブ７ａ及びリブ７ｂはそれぞれ、筐体２内の副走査方向一端側（図中左側）と他端側（図中右側）において、ＣＩＳホルダ２１とスペーサ２２には当接するが、ＣＩＳユニット１０には非接触となる高さで、上面カバー３の下面から突出して設置される（図３参照）。
【００４２】
また、ＣＩＳユニット１０が画像の読み取りを行っていない状態においてＣＩＳユニット１０が待機するための待機位置は、副走査方向に沿った、プラテンガラス４とリブ７ａとの中間位置に設定されている。
【００４３】
また、リブ７ａとＣＩＳホルダ２１が当接した時に、上面壁内面の凸部とスペーサ上面が凸部当接状態となり（図３（ａ）参照）、リブ７ｂとＣＩＳホルダ２１が当接した時に、上面壁内面の凸部とスペーサ上面が嵌合状態となるように（図３（ｂ）参照）、上面壁内面とスペーサ上面の凹凸形状が設定されている。
【００４４】
次に、スキャナ装置１の電気的構成について説明する。図８はスキャナ装置１の電気的構成を表すブロック図である。
スキャナ装置１は、図８に示すように、ＣＰＵ，ＲＯＭ，ＲＡＭ等からなる周知のマイクロコンピュータを中心に構成されてスキャナ装置１全体の動作を制御する制御部５１と、ＣＩＳユニット１０を副走査方向へ移動するように駆動するためのステッピングモータ５２と、利用者により操作可能な複数の操作キー５３ａおよび各種情報を表示する表示パネル５３ｂからなるユーザインターフェース部（以降、ユーザＩ／Ｆとする）５３と、ＣＩＳ１２とを備える。尚、制御部５１には、ステッピングモータ５２，ユーザＩ／Ｆ５３及びＣＩＳ１２が接続される。
【００４５】
このように構成されたスキャナ装置１において、制御部５１は、ガラス・ＣＩＳ間距離を調節するための距離調節処理を実行する。
ここで、スキャナ装置１の制御部５１が実行する距離調節処理の手順を、図９を用いて説明する。図９は距離調節処理を表すフローチャートである。尚、この距離調節処理は、制御部５１が起動（電源オン）している間に繰り返し実行される処理である。
【００４６】
この距離調節処理が実行されると、制御部５１は、まずＳ１０にて、電源オン直後であるか否かを判断する。ここで、電源オン直後である場合には（Ｓ１０：ＹＥＳ）、Ｓ３０にて、ステッピングモータ５２を駆動させて、リブ７ａとＣＩＳホルダ２１が当接する位置（以降、第１リブ当接位置と称す）までＣＩＳユニット１０を副走査方向に沿って移動させる。そして第１リブ当接位置まで移動した後に、Ｓ４０にて、ステッピングモータ５２を駆動させて、待機位置までＣＩＳユニット１０を移動させる。そして距離調節処理を終了する。
【００４７】
一方、電源オン直後でない場合には（Ｓ１０：ＮＯ）、Ｓ２０にて、操作キー５３ａを介して、ＣＩＳ１２の焦点中心位置がプラテンガラス４の上面と一致するようにガラス・ＣＩＳ間距離を設定するための指示を出す操作（以降、第１調節指示操作と称す）が行われたか否かを判断する。ここで、第１調節指示操作が行われた場合には（Ｓ２０：ＹＥＳ）、Ｓ３０に移行し、上述の処理を行う。一方、第１調節指示操作が行われていない場合には（Ｓ２０：ＮＯ）、Ｓ５０に移行する。
【００４８】
そしてＳ５０に移行すると、操作キー５３ａを介して、ＣＩＳ１２の焦点中心位置がプラテンガラス４の上面より上に位置するようにガラス・ＣＩＳ間距離を設定するための指示を出す操作（以降、第２調節指示操作と称す）が行われたか否かを判断する。ここで、第２調節指示操作が行われていない場合には（Ｓ５０：ＮＯ）、距離調節処理を終了する。
【００４９】
一方、第２調節指示操作が行われた場合には（Ｓ５０：ＹＥＳ）、Ｓ６０にて、ステッピングモータ５２を駆動させて、リブ７ｂとＣＩＳホルダ２１が当接する位置（以降、第２リブ当接位置と称す）までＣＩＳユニット１０を副走査方向に沿って移動させる。そして第２リブ当接位置まで移動した後に、Ｓ７０にて、ステッピングモータ５２を駆動させて、待機位置までＣＩＳユニット１０を移動させる。そして距離調節処理を終了する。
【００５０】
このように構成されたスキャナ装置１では、弾性体１３がセンサ接近方向に向かってＣＩＳ１２を付勢するため、ＣＩＳ１２はスペーサ２２をセンサ接近方向に向かって押圧し、更にスペーサ２２は上面壁３１ａをセンサ接近方向に向かって押圧する。
【００５１】
そして、スペーサ上面には凹凸が形成され、上面壁内面にも、スペーサ上面と嵌め合うことが可能な凹凸が形成されている。このため、スペーサ上面と上面壁内面とが嵌め合い状態（嵌合状態）である時にガラス・ＣＩＳ間距離が最も短くなる。一方、スペーサ上面と上面壁内面との嵌め合いが解除されて凸部当接状態である時にガラス・ＣＩＳ間距離が最も長くなる。
【００５２】
即ち、スペーサ２２の副走査方向への移動に伴うスペーサ上面と上面壁内面との位置関係の変化に従って、嵌合状態と凸部当接状態との間で状態を変化させることによって、ガラス・ＣＩＳ間距離を変化させることができる。
【００５３】
従って、ＣＩＳユニット１０を副走査方向に沿って移動させることによって、ガラス・ＣＩＳ間距離を調整できる。つまり、ガラス・ＣＩＳ間距離を調整するために手作業を行う必要がないため、画像読取装置を分解することなく、ガラス・ＣＩＳ間距離を調整できる。
【００５４】
また、ＣＩＳユニット１０を第１リブ当接位置まで移動させると、ＣＩＳ１２の焦点中心位置がプラテンガラス４の上面と一致するため、読み取り頻度の多い、シワのない用紙に印刷された画像を鮮明に読み込むことができる。
【００５５】
また、ＣＩＳユニット１０を第２リブ当接位置まで移動させると、ＣＩＳ１２の焦点中心位置がプラテンガラス４の上面より上に位置するため、本を見開きの状態で読み取ったり、シワのある原稿を読み取ったりする場合に、プラテンガラス４から浮いた部分で読み取られた画像が不鮮明になってしまうということを抑制できる。
【００５６】
また、スキャナ装置１の電源オン時には、ＣＩＳユニット１０を第１リブ当接位置まで移動させて、ＣＩＳ１２の焦点中心位置をプラテンガラス４の上面と一致させる。つまり、ＣＩＳ１２の焦点中心位置がプラテンガラス４の上面と一致している場合のガラス・ＣＩＳ間距離が、ガラス・ＣＩＳ間距離の初期状態である。
【００５７】
そして、スキャナ装置１の電源オン時には、第１リブ当接位置及び第２リブ当接位置のうち、待機位置までの距離が近い第１リブ当接位置にＣＩＳユニット１０を移動させるため、ガラス・ＣＩＳ間距離を初期状態するために要する時間を抑制できる。
【００５８】
また、操作キー５３ａを介して、第１調節指示操作が行われると、ＣＩＳユニット１０が第１リブ当接位置まで移動して、ＣＩＳ１２の焦点中心位置をプラテンガラス４の上面と一致させる。また、操作キー５３ａを介して、第２調節指示操作が行われると、ＣＩＳユニット１０が第２リブ当接位置まで移動して、ＣＩＳ１２の焦点中心位置をプラテンガラス４の上面より上に位置させる。
【００５９】
即ち、装置利用者が操作キー５３ａを介して指示することにより、自動的にガラス・ＣＩＳ間距離を調整することができる。
このため、本を見開きの状態で読み取ったり、シワのある原稿を読み取ったりする場合には、読み取りを開始する前に、装置利用者が操作キー５３ａを介して第２調節指示操作を行うことにより、ＣＩＳ１２の焦点中心位置を調整して、プラテンガラス４から浮いた部分があってもピントがボケないようにするという使用方法が可能になる。
【００６０】
以上説明した実施形態において、スキャナ装置１は本発明における画像読取装置、プラテンガラス４は本発明における載置台ガラス、ＣＩＳ１２は本発明における密着型イメージセンサ、キャリッジ１１は本発明におけるセンサ支持部材、ステッピングモータ５２，ガイド軸５及び無端ベルト６は本発明における支持部材移動手段、スペーサ２２は本発明における副走査方向移動部材、ＣＩＳホルダ２１，スペーサ２２及び弾性体１３は本発明における距離調節手段、リブ７ａ，７ｂは本発明における副走査方向移動阻止部材、弾性体１３は本発明における付勢部材、上面壁３１ａは本発明における当接部材、ユーザＩ／Ｆ５３は本発明における距離変化指令入力手段、Ｓ３０及びＳ６０の処理は本発明における移動制御手段である。
【００６１】
以上、本発明の一実施例について説明したが、本発明は上記実施例に限定されるものではなく、本発明の技術的範囲に属する限り種々の形態を採ることができる。
例えば上記実施形態では、ガラス・ＣＩＳ間距離が２段階で変化するものを示したが、３段階以上で変化するようにしてもよい。
【００６２】
例えば、図１０に示すように、上面壁内面を３段以上（図１０では３段）の階段形状にし、スペーサ上面を上面壁内面に嵌め合うことが可能な階段形状にするとよい。
このように構成されたスキャナ装置１では、スペーサ２２がリブ７ａ（リブ７ｂ）に当接する位置（以降、スペーサ当接位置と称す。本発明の移動阻止位置に相当）を越えてＣＩＳユニット１０を副走査方向に沿って移動させると、ＣＩＳユニット１０の移動量に応じて、スペーサ２２のＣＩＳ１２に対する相対的な位置（換言すると、スペーサ上面の上面壁内面に対する相対的な位置）が変化する。そして、この位置変化によって、ガラス・ＣＩＳ間距離が３段階に変化する。
【００６３】
また上記実施形態では、従来技術（厚みの異なるスペーサや高さ調整ねじ）と併用した構成を示したが、単純に従来技術を置き換えたものとしてもよい。また、図１０のように、ガラス・ＣＩＳ間距離が多段階に変化可能にした場合は、出荷時の調整（従来技術の置き換え）を行なった上で、更に装置利用者に対し、本発明の距離調節手段を提供するようにしてもよい。
【００６４】
また上記実施形態では、電源オン時にガラス・ＣＩＳ間距離を初期状態にするものを示したが、画像の読み取りを行う毎に、或いは予め設定された所定設定時間毎に初期状態にするようにしてもよい。
【００６５】
また上記実施形態では、上面壁内面とスペーサ上面に凹凸を設けたものを示した。しかし、スペーサ２２のＣＩＳ１２と当接する面、及びＣＩＳ１２のスペーサ２２と当接する面に凹凸を設けることによって、ガラス・ＣＩＳ間距離を調整するようにしてもよい。
【００６６】
また上記実施形態では、装置利用者が操作キー５３ａを介して指示するものを示したが、スキャナ装置１にパーソナルコンピュータ（ＰＣ）を接続して、ＰＣ上のスキャナドライバを介して指示するようにしてもよい。
【００６７】
また上記実施形態では、スキャナ装置１に本発明の画像読取装置としての構成を適用したものを示した。しかし、本発明の画像読取装置としての構成を適用する装置は、画像読取装置としての機能を有していれば、コピー機や複合機などのスキャナ装置以外の装置であってもよい。
【図面の簡単な説明】
【００６８】
【図１】スキャナ装置１の外観を示す斜視図。
【図２】スキャナ装置１の内部構成を示す斜視図。
【図３】ＣＩＳユニット１０及びＣＩＳローラホルダ２０の側断面図。
【図４】ＣＩＳローラホルダ２０の外観斜視図。
【図５】ＣＩＳローラホルダ２０の内部構造を示す斜視図。
【図６】ＣＩＳホルダ２１及びスペーサ２２の側面図。
【図７】スキャナ装置１の概略平面図。
【図８】スキャナ装置１の電気的構成を表すブロック図。
【図９】距離調節処理手順を表すフローチャート。
【図１０】別の実施形態におけるＣＩＳホルダ２１及びスペーサ２２の側面図。
【符号の説明】
【００６９】
１…スキャナ装置、２…筐体、３…上面カバー、４…プラテンガラス、５…ガイド軸、６…無端ベルト、７（７ａ，７ｂ）…リブ、１０…ＣＩＳユニット、１１…キャリッジ、１２…ＣＩＳ、１３…弾性体、２０…ＣＩＳローラホルダ、２１…ＣＩＳホルダ、２２…スペーサ、２２ａ…スペーサ貫通孔、２３…ローラ、３１…ホルダ本体部、３１ａ…上面壁、３１ｂ，３１ｃ…側面壁、３２…ピン状突起、３３…ホルダ貫通孔、５１…制御部、５２…ステッピングモータ、５３…ユーザＩ／Ｆ、５３ａ…操作キー、５３ｂ…表示パネル。
【図１】
0004552825.tif 000002
【図２】
0004552825.tif 000003
【図３】
0004552825.tif 000004
【図４】
0004552825.tif 000005
【図５】
0004552825.tif 000006
【図６】
0004552825.tif 000007
【図７】
0004552825.tif 000008
【図８】
0004552825.tif 000009
【図９】
0004552825.tif 000010
【図１０】
0004552825.tif 000011